(57)【要約】【課題】採光部材とシーリング材との接着力に優れたシーリング補助部材の提供。【解決手段】ガラス板を含む複数の採光部材の間若しくは少なくとも一つの前記採光部材と周辺部材との間に設けられるシーリング補助部材であって、前記採光部材は、第１主面、前記第１主面とは反対側に形成される第２主面、および前記第１主面と前記第２主面との間に形成される端面を有し、前記シーリング補助部材は、前記第１主面に沿って延在する第１部材と、前記第１部材と接続し、前記第１部材から前記第１主面とは反対側に突出する第２部材とを備えることを特徴とするシーリング補助部材。【選択図】図１
2018090954.tif 000002
【特許請求の範囲】
【請求項１】
ガラス板を含む複数の採光部材の間若しくは少なくとも一つの前記採光部材と周辺部材との間に設けられるシーリング補助部材であって、
前記採光部材は、第１主面、前記第１主面とは反対側に形成される第２主面、および前記第１主面と前記第２主面との間に形成される端面を有し、
前記シーリング補助部材は、
前記第１主面に沿って延在する第１部材と、
前記第１部材と接続し、前記第１部材から前記第１主面とは反対側に突出する第２部材とを備えることを特徴とするシーリング補助部材。
【請求項２】
前記第２部材は、前記端面に沿って延在する、請求項１に記載のシーリング補助部材。
【請求項３】
前記第２部材は、前記第２主面と面一の面を有する、請求項２に記載のシーリング補助部材。
【請求項４】
前記第２主面に沿って延在する第３部材を備える、請求項１または２に記載のシーリング補助部材。
【請求項５】
前記シーリング補助部材は、芯材と、前記芯材を覆う外皮とで構成され、
前記芯材は金属で形成され、前記外皮は樹脂またはゴムで形成される、請求項１〜４のいずれか１項に記載のシーリング補助部材。
【請求項６】
請求項１〜５のいずれか１項に記載のシーリング補助部材と、
前記シーリング補助部材が外縁部に固定される前記採光部材とを備える、採光パネル。
【請求項７】
前記採光部材は外縁部に角部を有し、
前記角部において複数の前記シーリング補助部材を接合する継手部材をさらに有する、請求項６に記載の採光パネル。
【請求項８】
前記第１主面および前記第２主面が湾曲面であって、
前記シーリング補助部材が、可撓性を有し、前記第１主面および前記第２主面に沿って曲げ変形される、請求項６または７に記載の採光パネル。
【請求項９】
前記採光部材の前記外縁部に形成される紫外線遮断層を有し、
前記紫外線遮断層は前記第１部材の室外側に配される、請求項６〜８のいずれか１項に記載の採光パネル。
【請求項１０】
請求項６〜９のいずれか１項に記載の採光パネルを複数有し、
複数の前記採光パネルの間に充填されるシーリング材をさらに有する、シーリング構造。
【請求項１１】
請求項６〜９のいずれか１項に記載の採光パネルと、
前記採光パネルの隣に配設される周辺部材と
前記採光パネルと前記周辺部材との間に充填されるシーリング材とを有する、シーリング構造。
【発明の詳細な説明】
【技術分野】
【０００１】
本発明は、シーリング補助部材、採光パネル、およびシーリング構造に関する。
【背景技術】
【０００２】
近年、建物の外壁には、デザイン性の向上の効果も考慮し、例えばガラス板のような採光部材が面状に複数並べられる。そして、採光部材間の目地にはシーリング材が充填される。（例えば特許文献１参照）。
【先行技術文献】
【特許文献】
【０００３】
【特許文献１】特開２０１１−１６３０２２号公報
【発明の概要】
【発明が解決しようとする課題】
【０００４】
しかしながら、採光部材間に充填されるシーリング材の接着力は、シーリング材が接触する採光部材の端面の面積に依存する。例えば、採光部材が薄板化した場合など、採光部材の端面の面積が狭くなり、シーリング材の接着力が低下するという問題点がある。
【０００５】
よって、本発明は、採光部材の端面の面積に係らず、採光部材とシーリング材との接着力に優れたシーリング補助部材の提供を主な目的とする。
【課題を解決するための手段】
【０００６】
上記課題を解決するため、本発明の一態様によれば、
ガラス板を含む複数の採光部材の間若しくは少なくとも一つの前記採光部材と周辺部材との間に設けられるシーリング補助部材であって、
前記採光部材は、第１主面、前記第１主面とは反対側に形成される第２主面、および前記第１主面と前記第２主面との間に形成される端面を有し、
前記シーリング補助部材は、
前記第１主面に沿って延在する第１部材と、
前記第１部材と接続し、前記第１部材から前記第１主面とは反対側に突出する第２部材とを備えることを特徴とするシーリング補助部材が提供される。
【発明の効果】
【０００７】
本発明の一態様によれば、採光部材とシーリング材との接着力に優れたシーリング補助部材が提供される。
【図面の簡単な説明】
【０００８】
【図１】本発明の第１実施形態によるシーリング構造を示す断面図である。
【図２】図１のII方向から見た採光パネルを示す平面図である。
【図３】図１のIII方向から見た採光パネルの断面図である。
【図４】本発明の第２実施形態によるシーリング構造を示す断面図である。
【図５】本発明の第３実施形態によるシーリング構造を示す断面図である。
【図６】本発明の第４実施形態によるシーリング構造を示す断面図である。
【図７】本発明の第５実施形態によるシーリング構造を示す断面図である。
【発明を実施するための形態】
【０００９】
以下、本発明を実施するための形態について図面を参照して説明する。各図面において、同一の又は対応する構成には、同一の又は対応する符号を付して説明を省略する。
【００１０】
［第１実施形態］
図１は、本発明の第１実施形態によるシーリング構造を示す断面図である。図１において、上側が室外側、下側が室内側である。図２は、図１のII方向から見た採光パネルを示す平面図である。図３は、図１のIII方向から見た採光パネルを示す断面図である。
【００１１】
シーリング構造は、図１に示すように、複数の採光パネル１０と、シーリング材３０とを有する。複数の採光パネル１０は、間隔をおいて、面状に並ぶ。このシーリング構造は、例えば建物の外壁などに適用される。
【００１２】
採光パネル１０は、採光部材１１と、シーリング補助部材１２と、継手部材１３（図２参照）と、紫外線遮断層１４とを有する。尚、継手部材１３や紫外線遮断層１４は任意の構成であって、採光パネル１０は継手部材１３や紫外線遮断層１４を有しなくてもよい。
【００１３】
採光部材１１は、太陽光などの室外の光を室内に取り込む。採光部材１１は、ガラス板を含む。ガラス板は、未強化ガラスまたは強化ガラスなどである。強化ガラスは、熱強化ガラス、化学強化ガラスのいずれでもよい。採光部材１１は、１つのガラス板のみで構成されるが、複数のガラス板で構成されてもよい。採光部材１１は、例えば合わせガラス、複層ガラスなどでもよい。
【００１４】
採光部材１１は、図１に示すように第１主面１１１と、第１主面１１１とは反対側に形成される第２主面１１２と、第１主面１１１と第２主面１１２との間に形成される端面１１３とを有する。
【００１５】
第１主面１１１が室内側、第２主面１１２が室外側に配される。尚、第１主面１１１が室外側、第２主面１１２が室内側に配されてもよい。
【００１６】
第１主面１１１および第２主面１１２は、図１のIII方向から見たときに図３に示すように湾曲面とされてよい。尚、第１主面１１１および第２主面１１２は、平坦面とされてもよい。
【００１７】
採光部材１１は、図２に示すように平面視において例えば矩形状に形成され、外縁部に角部を有する。角部は、丸みを有してもよい。
【００１８】
シーリング補助部材１２は、採光部材１１の外縁部に固定され、シーリング材３０に密着する。シーリング補助部材１２の詳細については後述する。
【００１９】
継手部材１３は、採光部材１１の外縁部の角部において、複数のシーリング補助部材１２を接合する。継手部材１３は、採光部材１１の外縁部の角部に固定され、シーリング材３０に密着する。継手部材１３の詳細については後述する。
【００２０】
紫外線遮断層１４は、採光部材１１の外縁部に形成される。紫外線遮断層１４は、太陽光などの室外の光に含まれる紫外線を遮断する。紫外線遮断層１４の詳細については後述する。
【００２１】
シーリング材３０としては、建築用の一般的なものが用いられる。シーリング材３０は、面状に並ぶ複数の採光パネル１０の間に、液状の状態で充填され、固化される。
【００２２】
尚、シーリング材３０は、採光パネル１０と、採光パネル１０とは別の採光パネルとの間に、液状の充填で充填され、固化されてもよい。採光パネル１０とは別の採光パネルとしては、例えば、図５に示す採光パネル１０Ｂ、図６に示す採光パネル１０Ｃ、図７に示す採光パネル１０Ｄなどが挙げられる。
【００２３】
次に、図１〜図３を再度参照して、シーリング補助部材１２、継手部材１３、および紫外線遮断層１４についてこの順で説明する。
【００２４】
シーリング補助部材１２は、例えば図１に示すように横Ｔ字状の断面形状を有し、第１部材１２１、および第２部材１２２を有する。
【００２５】
第１部材１２１は、採光部材１１の第１主面１１１に沿って延在し、第１主面１１１に対し固定される。この固定には、例えば接着剤が用いられる。第１部材１２１が第１主面１１１に沿って延在することで、第２部材１２２の姿勢が安定化する。
【００２６】
第２部材１２２は、第１部材１２１と接続し、第１部材１２１から第１主面１１１とは反対側に突出する。よって、採光部材１１の厚みよりも厚くシーリング材３０を充填することができ、シーリング材３０を十分に充填することができる。よって、採光部材１１とシーリング材３０との接着力を向上することができる。この効果は、採光部材１１が薄いほど顕著である。採光部材１１の厚さは、好ましくは３．８ｍｍ以下、より好ましくは２．８ｍｍ以下である。採光部材１１の厚さは、ハンドリング性の観点から、好ましくは０．７ｍｍ以上である。
【００２７】
第２部材１２２は、採光部材１１の端面１１３に沿って延在し、端面１１３に対し固定される。この固定には、例えば接着剤が用いられる。採光部材１１の向きの異なる２面（第１主面１１１と端面１１３）に沿ってシーリング補助部材１２が固定されるため、固定時の位置決めが容易である。
【００２８】
第２部材１２２は、採光部材１１の端面１１３に沿って延在することで、端面１１３を保護できる。ガラス板の端面を保護することができ、ガラス板の破損を低減することができる。この効果は、採光部材１１の製造工場などにおいて採光部材１１にシーリング補助部材１２が取り付けられたうえで、採光部材１１が運搬される場合に顕著である。
【００２９】
第２部材１２２は、採光部材１１の第２主面１１２と面一の面１２２ａを有する。そのため、第２主面１１２側（本実施形態では室外側）から建物を見たときに、建物の意匠性などが損なわれない。
【００３０】
シーリング補助部材１２は、金属などで形成されてもよいが、外部からの衝撃を吸収できるように樹脂またはゴムで形成されてよい。尚、シーリング補助部材１２は、後述するように、金属製の芯材と、樹脂製またはゴム製の外皮とで構成されてもよい。外皮が樹脂またはゴムで形成される場合、外部からの衝撃を吸収することができる。
【００３１】
シーリング補助部材１２は、第１主面１１１や第２主面１１２が平坦面の場合と、湾曲面の場合の両方の場合に適用できるように可撓性を有してよい。第１主面１１１や第２主面１１２が湾曲面の場合、図３に示すように、シーリング補助部材１２は第１主面１１１や第２主面１１２に沿って曲げ変形される。
【００３２】
継手部材１３は、図２に示すように採光部材１１の外縁部の角部において、複数のシーリング補助部材１２を接合する。継手部材１３は、採光部材１１の外縁部の角部に固定され、シーリング材３０に密着する。採光部材１１の外縁部の角部において、シーリング材３０を十分に充填することができる。
【００３３】
継手部材１３は、例えば射出成形で成形される。この場合、採光部材１１とシーリング補助部材１２とを金型内に設置した状態で、射出成形が行われる。継手部材１３は、シーリング補助部材１２と同様に構成されてよく、例えば採光部材１１の第１主面１１１に沿って延在する第１部材と、第１部材から第１主面１１１とは反対側に突出する第２部材とを有してよい。
【００３４】
紫外線遮断層１４は、第１部材１２１の室外側に配設され、第１部材１２１の接着剤の紫外線による劣化を抑制する。紫外線遮断層１４は、第１部材１２１の室外側に配設されていればよく、第２主面１１２に形成されてもよいが、図１に示すように第１主面１１１に形成されてよい。この場合、第１部材１２１は、紫外線遮断層１４を介して第１主面１１１に固定される。
【００３５】
紫外線遮断層１４は、例えば採光部材１１に対しセラミック塗料を塗布し、塗布層を焼成することで形成される。紫外線遮断層１４の色は、特に限定されないが、例えば黒色であってよい。接着剤の色が目立たなくなる。
【００３６】
［第２実施形態］
図４は、本発明の第２実施形態によるシーリング構造を示す断面図である。以下、上記第１実施形態と本実施形態との相違点について主に説明する。
【００３７】
シーリング構造は、採光パネル１０と、採光パネル１０の隣に配設される周辺部材２０と、シーリング材３０とを有する。
【００３８】
周辺部材２０は、採光パネル１０との間に隙間を形成する。周辺部材２０は、例えば図４に示すように建物の外壁に開口部を形成するフレームなどであってもよい。
【００３９】
周辺部材２０と、採光パネル１０との間にシーリング材３０が充填される。採光部材１１の外縁部にシーリング補助部材１２が固定されているため、採光部材１１の厚みよりも厚くシーリング材３０を充填することができ、シーリング材３０を十分に充填することができる。よって、採光部材１１とシーリング材３０との接着力を向上することができる。
【００４０】
［第３実施形態］
図５は、本発明の第３実施形態によるシーリング構造を示す断面図である。以下、上記第１実施形態と本実施形態との相違点について主に説明する。
【００４１】
シーリング構造は、複数の採光パネル１０Ｂと、シーリング材３０とを有する。複数の採光パネル１０Ｂは、間隔をおいて、面状に並ぶ。シーリング材３０は、複数の採光パネル１０Ｂの間に充填される。尚、シーリング材３０は、採光パネル１０Ｂと、図４に示す周辺部材２０との間に充填されてもよい。
【００４２】
採光パネル１０Ｂは、採光部材１１と、シーリング補助部材１２Ｂと、紫外線遮断層１４とを有する。採光パネル１０Ｂは、図２に示す継手部材１３をさらに有してもよい。
【００４３】
シーリング補助部材１２Ｂは、横Ｔ字状の断面形状を有し、第１部材１２１Ｂ、および第２部材１２２Ｂを有する。
【００４４】
第１部材１２１Ｂは、採光部材１１の第１主面１１１に沿って延在する。よって、第２部材１２２Ｂの姿勢が安定化する。
【００４５】
第２部材１２２Ｂは、第１部材１２１Ｂと接続し、第１部材１２１Ｂから第１主面１１１とは反対側に突出する。よって、採光部材１１の厚みよりも厚くシーリング材３０を充填することができ、シーリング材３０を十分に充填することができる。よって、採光部材１１とシーリング材３０との接着力を向上することができる。
【００４６】
第２部材１２２Ｂは、芯材１２７Ｂと、芯材１２７Ｂを覆う外皮１２８Ｂとで構成される。芯材１２７Ｂは金属で形成され、外皮１２８Ｂは樹脂またはゴムで形成される。芯材１２７Ｂは第２部材１２２Ｂの形状を保持し、外皮１２８Ｂは外部からの衝撃を吸収する。
【００４７】
［第４実施形態］
図６は、本発明の第４実施形態によるシーリング構造を示す断面図である。以下、上記第１実施形態と本実施形態との相違点について主に説明する。
【００４８】
シーリング構造は、複数の採光パネル１０Ｃと、シーリング材３０とを有する。複数の採光パネル１０Ｃは、間隔をおいて、面状に並ぶ。シーリング材３０は、複数の採光パネル１０Ｃの間に充填される。尚、シーリング材３０は、採光パネル１０Ｃと、図４に示す周辺部材２０との間に充填されてもよい。
【００４９】
採光パネル１０Ｃは、採光部材１１と、シーリング補助部材１２Ｃと、紫外線遮断層１４とを有する。採光パネル１０Ｃは、図２に示す継手部材１３をさらに有してもよい。
【００５０】
シーリング補助部材１２Ｃは、例えばＬ字状の断面形状を有し、第１部材１２１Ｃと、第２部材１２２Ｃとを有する。
【００５１】
第１部材１２１Ｃは、採光部材１１の第１主面１１１に沿って延在する。よって、第２部材１２２Ｃの姿勢が安定化する。
【００５２】
第２部材１２２Ｃは、第１部材１２１Ｃと接続し、第１部材１２１Ｃから第１主面１１１とは反対側に突出する。よって、採光部材１１の厚みよりも厚くシーリング材３０を充填することができ、シーリング材３０を十分に充填することができる。よって、採光部材１１とシーリング材３０との接着力を向上することができる。
【００５３】
第２部材１２２Ｃは、採光部材１１の端面１１３を覆わない。従来と同様に採光部材１１の端面１１３が露出しており、採光部材１１とシーリング材３０とが密着できる。
【００５４】
［第５実施形態］
図７は、本発明の第５実施形態によるシーリング構造を示す断面図である。以下、上記第１実施形態と本実施形態との相違点について主に説明する。
【００５５】
シーリング構造は、複数の採光パネル１０Ｄと、シーリング材３０とを有する。複数の採光パネル１０Ｄは、間隔をおいて、面状に並ぶ。シーリング材３０は、複数の採光パネル１０Ｄの間に充填される。尚、シーリング材３０は、採光パネル１０Ｄと、図４に示す周辺部材２０との間に充填されてもよい。
【００５６】
採光パネル１０Ｄは、採光部材１１と、シーリング補助部材１２Ｄとを有する。採光パネル１０Ｄは、図２に示す継手部材１３をさらに有してもよい。また、採光パネル１０Ｄは、図１に示す紫外線遮断層１４をさらに有してもよい。
【００５７】
シーリング補助部材１２Ｄは、例えばＦ字状の断面形状を有し、第１部材１２１Ｄと、第２部材１２２Ｄと、第３部材１２３Ｄとを有する。
【００５８】
第１部材１２１Ｄは、採光部材１１の第１主面１１１に沿って延在する。よって、第２部材１２２Ｄの姿勢が安定化する。
【００５９】
第２部材１２２Ｄは、第１部材１２１Ｄと接続し、第１部材１２１Ｄから第１主面１１１とは反対側に突出する。よって、採光部材１１の厚みよりも厚くシーリング材３０を充填することができ、シーリング材３０を十分に充填することができる。よって、採光部材１１とシーリング材３０との接着力を向上することができる。
【００６０】
第３部材１２３Ｄは、採光部材１１の第２主面１１２に沿って延在し、第２主面１１２に対し固定される。この固定には、例えば接着剤が用いられる。採光部材１１の３面（第１主面１１１、第２主面１１２、端面１１３）に沿ってシーリング補助部材１２Ｄが固定されるため、シーリング補助部材１２Ｄが安定的に固定できる。
【００６１】
以上、シーリング補助部材、採光パネル、シーリング構造の実施形態などについて説明したが、本発明は上記実施形態などに限定されず、特許請求の範囲に記載された本発明の要旨の範囲内において、種々の変形、改良が可能である。
【００６２】
例えば、周辺部材として乗り物の窓枠が用いられてもよく、本発明は乗り物の外壁などに適用されてもよい。
【符号の説明】
【００６３】
１０  採光パネル
１１  採光部材
１１１  第１主面
１１２  第２主面
１１３  端面
１２  シーリング補助部材
１２１  第１部材
１２２  第２部材
１２２ａ  第２主面と面一の面
１２３Ｄ  第３部材
１２７Ｂ  芯材
１２８Ｂ  外皮
１３  継手部材
１４  紫外線遮断層
２０  周辺部材
３０  シーリング材
【図１】
2018090954.tif 000003
【図２】
2018090954.tif 000004
【図３】
2018090954.tif 000005
【図４】
2018090954.tif 000006
【図５】
2018090954.tif 000007
【図６】
2018090954.tif 000008
【図７】
2018090954.tif 000009